(57)【要約】本発明は、移動無線システムにおけるデータ転送速度を高める方法と、本発明による方法を実施するコンピュータプログラムに関する。本発明は、本発明による方法での使用に適した移動無線システム、移動局（ＭＳ）および基地局（ＢＳ）を保護する。本方法自体は、本発明が移動無線システムにおける基地局（ＢＳ）と移動局（ＭＳ）との間でデータ転送速度を高める可能性を提供するという問題に取り組む。これにより、転送されるべきデータは、少なくとも二つの周波数チャネルにわたってアドレスコーディング値で合成された形態でパケットごとに転送される。
2005536100.tif 000002
【特許請求の範囲】
【請求項１】
移動無線システムにおける少なくとも１つの基地局と１つの移動局との間でデータ転送速度を高める方法であって、少なくとも１つの基地局と移動局との間で送信されるデータが、第１の周波数チャネルおよび少なくとも１つの第２の周波数チャネルにわたって合成された形態で伝送される、方法。
【請求項２】
送信されるデータは、アドレスコーディング値が付与されたパケットの状態で、少なくとも２つの周波数チャネルにわたって伝送され、その結果、データをその後に再び合成することができる、請求項１に記載の方法。
【請求項３】
前記移動無線システムがＧＳＭ、ＰＣＳ、または、ＰＣＮシステムである、請求項１に記載の方法。
【請求項４】
データ送信が前記第１および第２の周波数チャネルにわたって同時に行なわれる、請求項１に記載の方法。
【請求項５】
前記第１の周波数チャネルが９００ＭＨｚ周波数チャネルであり、前記第２の周波数チャネルは、１８００ＭＨｚ周波数チャネルと１９００ＭＨｚ周波数チャネルとから成るグループから選択される、請求項１に記載の方法。
【請求項６】
少なくとも１つの基地局と１つの移動局とを備える移動通信のための移動無線システムであって、少なくとも１つの基地局と前記移動局との間でデータ転送速度を高めるため、データ送信が第１の周波数チャネルおよび少なくとも１つの第２の周波数チャネルにわたって合成された形態で行なわれる、移動無線システム。
【請求項７】
ＧＳＭシステムの少なくとも１つの基地局を備える移動通信のための移動無線システムで使用される移動局であって、少なくとも１つの前記基地局からデータを第１の周波数チャネルおよび少なくとも１つの第２の周波数チャネルにわたって合成された形態で受信するための受信ユニットを備えている、移動局。
【請求項８】
移動局と移動通信するための移動無線システムにおいて使用される基地局であって、移動局へデータを送信するように配置され、移動局へのデータ送信が第１の周波数チャネルおよび第２の周波数チャネルにわたって合成された形態で行なわれる、基地局。
【請求項９】
移動無線システムにおける少なくとも１つの基地局と移動局との間のデータ送信を制御してデータ転送速度を高めるためのコンピュータプログラムにおいて、少なくとも１つの前記基地局および前記移動局のための指示であって、少なくとも１つの前記基地局と前記移動局との間で送信されるデータが第１の周波数チャネルおよび第２の周波数チャネルにわたって伝送されるようにする指示を含んでいる、コンピュータプログラム。
【発明の詳細な説明】
【技術分野】
【０００１】
本発明は、移動無線システムにおける基地局と移動局との間のデータ転送速度を高める方法に関する。また、本発明は、本発明に係る方法を実行する移動無線システムに関する。また、本発明は、本発明の方法の実施中に移動無線システムのデータ転送速度をそれ自体で高めることができる基地局および移動局に関する。更に、本発明は、移動無線システムにおいて本発明に係る方法を実行するためのコンピュータプログラムに関する。
【背景技術】
【０００２】
移動無線の分野において、ＧＳＭシステムは、これまで、デジタルセルラー方式移動無線システムのための規格として殆ど世界中で使用されてきた。この規格は、スピーチおよびデータの通信と共に、ショート・メッセージ・サービス（ＳＭＳ）、ＣＬＩＤ、フォワーディング等の多数の他のサービス機能を可能にし、その結果、移動無線ネットワークの性能が所定のネットワークのＩＳＤＮ性能に達する。また、そのようなシステムでは、国内外のローミングが可能である。
【０００３】
ＧＳＭネットワークは様々な周波数チャネルで機能する。９００ＭＨｚの帯域が最も幅広く利用されており、この帯域はＤ１およびＤ２ボーダフォンにより基本的にドイツで使用されている。一方、Ｅ−プラスおよびＶＩＡＧインターコムは１８００ＭＨｚの帯域をドイツで無線通信している。ところで、９００ＭＨｚ帯域はその能力の限界に達しており、また、ドイツの現在のほぼ全ての携帯電話は、デュアルバンド携帯電話であり、したがって、９００ＭＨｚ帯域または１８００ＭＨｚ帯域のいずれかで送受信することができるため、Ｄ１およびＤ２ボーダフォンも１８００ＭＨｚ帯域で無線通信する可能性がある。ＧＳＭ携帯電話の世界的な使用は、北アメリカの無線通信が１９００ＭＨｚの帯域で行なわれているという事実と抵触する。しかしながら、一方、いわゆるトリバンド携帯電話が市場に出現してきている。このトリバンド携帯電話を用いると、３つの周波数チャネルのうちの１つで無線通信することができる。しかしながら、基本的には、各周波数チャネルのうちの１つで常に送信または受信することができる。実際には、国内ローミングまたは国際ローミングにより、ネットワークユーザを変更することができ、したがって、送受信周波数を変更することができるが、送受信周波数は常に１つの周波数チャネルに限られる。
【０００４】
ＧＳＭ規格によれば、各周波数チャネルは１２４個のチャネルを有しており、これらのチャネルは更にそれぞれが５７７μｓの８個のタイムスロットに分けられる。各タイムスロットにおいては、１５６．２５データビットを送信することができる。これらの８個のタイムスロットは協働していわゆるＴＤＭＡフレームを形成する。すなわち、１つのＴＤＭＡフレームはそれぞれが１５６．２５ビットの８個のタイムスロットを有しており、１５６．２５ビットの送信のために５７７μｓの時間を利用できる。各スロットでは、一方で、ユーザデータ信号における２つのブロックにおいて１１４データビットが送信され、他方で、保護領域における４４．２５ビットが送信される。したがって、周波数によって決定される物理的な１２４個のチャネルは、ＴＤＭＡ方法により、８個の更なる時差的なチャネルに分割される。これらのチャネルのうち、幾つかのチャネルは、実際のユーザデータ転送を行なうためのトラフィックチャネル（ＴＣＨ）として使用され、また、他のチャネルは、例えば接続設定および切断、ハンドオーバー等、システムを内側で制御するための制御チャネル（ＤＣＣＨ，ＣＣＣＨ，ＤＣＣＨ）として使用される。
【０００５】
しかしながら、このフレーム構造は、データ転送速度のための上側の境界を形成する。チャネルコーディング、重畳コーディング、または、インターリービングによってデータ転送速度を高めることができることは事実であるが、このようにして達し得るデータ転送速度の促進にも一定の限界がある。しかし、これは、データ量の更なる増大に起因して非常に厄介であると考えられる。
【発明の開示】
【発明が解決しようとする課題】
【０００６】
したがって、本発明は、少なくとも、例えばＧＳＭシステムにおける移動無線システムの基地局と移動局との間のデータ転送速度を高めることができる可能性を与えるという課題に取り組む。
【課題を解決するための手段】
【０００７】
この技術的な問題は、少なくとも１つの基地局と１つの移動局とを備える移動無線システムにおけるデータ転送速度を高める全く新規な方法によって解決される。この方法において、少なくとも１つの基地局と移動局との間で送信されるデータは、１つの第１の周波数チャネルおよび少なくとも１つの第２の周波数チャネルにわたって組み合わされた方法で伝送される。
【０００８】
送信されるデータを、従来技術により公知のように１つの周波数チャネルにわたって伝送できるだけでなく、少なくとも２つの周波数チャネルにわたって組み合わせた方法で伝送できれば、データ転送速度をかなり高めることができる。この方法において、マルチパスおよびインターリービングの問題並びにチャネル利用可能性およびシステムに固有の他の問題が考慮される場合には、提案された方法を用いて、データ転送速度を現在のクラス１２または１４のデバイス世代よりも約６０％〜８０％程度高めることができる。このようにして得ることができるデータ転送速度は、匹敵するＵＴＲＡ−ＦＤＤシステム（ＵＭＴＳ地上無線アクセスＦＦＤシステム）よりも十分に高い。
【０００９】
このように、本発明によれば、この方法を用いて送信されるデータが少なくとも２つの周波数チャネルにわたって伝送されるため、１つの周波数チャネルでのデータ送信のために通常必要となる全ての方法手続きを、データのための少なくとも２つの周波数チャネルにおいて使用することが必要になる。例えば、２つの周波数チャネルで送信されるデータに対してチャネルコーディングまたはインターリービングが適用されなければならない。
【００１０】
既に述べたように、この方法を用いると、周知の方法と比べてデータ転送速度を１．６〜１．８のファクターだけ高めることができる。この方法の最も大きな利点は、この方法を用いると、特定のデータ塊のための送信時間を最小限に抑えることができるという点である。このように送信時間が短くなると、それに応じて、このデータ塊の送信に関して携帯電話プロバイダに支払うべき料金も減少する。本発明の更なる利点は、本発明に係る方法によってデータ送信時間が短縮化された結果、各システムにおけるチャネルの利用可能性が高まるという点である。
【００１１】
請求項１に記載された方法の更なる好適な実施形態は、請求項２の特徴的構成を有している。これによれば、送信されるデータ塊は、データパケット、例えばいわゆるバーストへと組み合わされるとともに、少なくとも２つの周波数チャネルにわたって送信される。少なくとも２つの周波数チャネルにわたって組み合わされた方法でデータ送信されることから、これらのデータパケットが受信器によって受信されてアンロックされるため、各データパケットは、これらが送信される前にアドレスコーディング値を受信する。このようにすれば、比較的簡単な方法で、受信器により、データパケットを再び元の最初のフォーマットに変換することができる。すなわち、データ構造のそのデータ送信前のフォーマットを復元することができる。
【００１２】
請求項１に記載された方法は、請求項３に記載された発明に係る実施形態により特に有益となることが分かる。この場合の大きな利点は、請求項１に記載された本発明に係る方法を特に最も一般的に使用される携帯電話システムにおいて利用することができるという点である。
【００１３】
請求項１に記載された方法の更に有利な実施形態が請求項４および請求項５に記載されている。これによれば、データ送信のために使用される２つの周波数チャネルは、９００ＭＨｚ帯域および１８００ＭＨｚ帯域、または、４５０ＭＨｚ帯域および１９００ＭＨｚ帯域であり、２つの周波数チャネルにわたって同時に送信が行なわれる。これは特に有益であることが分かる。なぜなら、これらの周波数チャネルは、最も頻繁にドイツで使用される周波数チャネルであり、例えばＤ１，Ｄ２ボーダフォン、Ｅ−プラス、ＶＩＡＧインターコムにより使用されているからである。したがって、プロバイダ同士の双方の合意により、他のネットワークプロバイダと一緒に１つの周波数チャネルを共用することができ、あるいは、それぞれのデータを送信するようにプロバイダに指示することもできる。
【００１４】
また、本発明は、請求項６の特徴的構成を有する移動無線システムに関する。この移動無線システムは、基地局と移動局との間でのデータ送信が１つの周波数チャネルだけで行なわれず、データ送信において複数の周波数チャネルを用いることができるという点で適している。
【００１５】
従来のシステムと比較したそのような移動無線システムの大きな利点は、少なくとも２つの周波数チャネルにわたってデータ送信が行なわれる結果として、単位時間当りのデータ転送速度をかなり高めることができ、それにより、特定のデータ塊においてデータ送信時間が更に短くなるという点である。更なる利点は、データの一部が他のネットワークプロバイダの未知の周波数チャネルにわたって送信される時にユーザ自身のネットワークのチャネル利用可能性が高められるという点である。
【００１６】
更に、本発明に係る移動無線システムは、データ送信が更に安全になるという点で優れている。データが２つの周波数チャネルにわたって送信されるため、このデータ送信時に盗聴したいと考えている第三者は、両方のチャネルにアクセスしなければならない。これは非常に困難である。
【００１７】
また、本発明は、請求項１に記載された方法を実行するように配置され、あるいは、請求項６に記載された移動無線システムに含まれるように設けられた請求項７に記載の移動局に関する。また、本発明は、請求項１に記載された方法を実行するための請求項８に記載の基地局に関する。この目的のため、基地局は、複数の周波数チャネルで同時に送受信することができる。また、移動局は、様々な周波数チャネルからのデータを同時に受信しあるいはこれらのデータを様々な周波数チャネルを通じて送信するように配置される。本発明のフレームワークにおいては、基本的に、２つの周波数チャネルにわたる受信動作が興味深いが、２つ以上の帯域にわたって送信動作も行なうことができる。
【００１８】
また、本発明は、移動無線システムを制御して移動無線システムにおけるデータ転送速度を高める請求項９に記載されたコンピュータプログラムに関する。
【００１９】
このように、本発明は、９００ＭＨｚおよび１８００ＭＨｚまたは１９００ＭＨｚにおける様々な受信経路を組み合わせることにより、ＧＳＭシステム等の移動無線システムのデータ転送速度を高めるものである。
【００２０】
更なる理解および解説のため、以下、添付図面を参照しながら本発明のこれらの態様および更なる態様について詳細に説明する。
【発明を実施するための最良の形態】
【００２１】
全ての図面においては、同様の構成を同様の参照符号で示した。
【００２２】
図１は、現在の移動無線システムで見出すことができるＧＳＭネットワークインフラを示している。ここで、下位ネットワークレベルは各セルを形成する基地局１０（ＢＳ）から成り、これらの複数の基地局は基地局コントローラ３０（ＢＳＣ）に接続されている。２つの基地局は協働してそれぞれの基地局サブシステム（ＢＳＳ）を形成している。そのようなシステムは、ＨＬＲ（ホームロケーションレジスタ）９０内での位置の更新を必要とすることなく１つの移動局２０（ＭＳ）が動き回る一つ以上のセル４０，５０，６０を供給する。また、そのような領域（ＢＳＳ）はロケーションエリア（ＬＡ）と呼ばれる。各基地局（ＢＳ）１０は、移動局（ＭＳ）２０のネットワークの識別コードによって識別される。ＧＳＭシステムにおいて、複数の基地局（ＢＳ）１０は、通常、７個または９個のセルのサイズを有するクラスタに組み合わせられる。複数の基地局コントロータ（ＢＳＣ）３０は一括して１つの移動交換局（ＭＳＣ）７０に接続されている。移動交換局同士はＳＳ＃７ネットワーク８０を介して互いに接続されている。所定のローカルエリアネットワーク１００との通信を可能にするため、移動交換局（ＭＳＣ）７０はゲートウェイを介して所定のローカルエリアネットワーク１００に結合されている。
【００２３】
例えばセル５０内に位置された移動局（ＭＳ）２０を用いて所定のローカルネットワーク１００からデータを受信するため、これらのデータは、所定のローカルエリアネットワーク１００から、移動交換局（ＭＳＣ）７０および基地局コントローラ（ＢＳＣ）３０を介して送信されるとともに、基地局（ＢＳ）１０を介して無線信号により移動局（ＭＳ）２０へと送られる。それが何の移動無線システムであるかに応じて、これらの無線信号は、特定の周波数を有しており、あるいは、特定の帯域幅内にある。例えば、移動無線プロバイダＤ１およびＤ２−ボーダフォンは約９００ＭＨｚの周波数範囲で送信する。これに対して、Ｅ−プラスおよびＶＩＡＧ−インターコムは１８００ＭＨｚの帯域幅範囲で送受信する。
【００２４】
たった１つの周波数チャネルにわたるこのようなデータ送信とは反対に、本発明は、基地局（ＢＳ）１０と移動局（ＭＳ）２０との間のデータ送信がたった１つの周波数チャネルにわたって行なわれず周波数が異なる少なくとも２つのチャネルにわたって行なわれるようにデータ送信を加速することを提供する。特に、データ送信を９００ＭＨｚ帯域と１８００ＭＨｚ帯域とに分けることにより、これらの２つの帯域にわたって組み合わされたデータを基地局（ＢＳ）１０から移動局（ＭＳ）２０へと送信することが提供される。また、データの一部が一方の基地局を介して９００ＭＨｚ帯域にわたって移動局へと送信されるととともに、データの他の部分が他方の基地局を介して例えば１８００ＭＨｚ帯域にわたって移動局へと送信されても良い。あるいは、１つの無線セル内で９００ＭＨｚ帯域にわたってデータ送信を行なうとともに、他の無線セル内で１８００ＭＨｚ帯域にわたってデータ送信を行なうこともできる。このことは、所定のデータ塊のデータ送信において、データ送信の一部が他のネットワークプロバイダによって行なわれるという点で、例えば他のネットワークプロバイダのサービスが考慮に入れられることを意味していても良い。したがって、システムの必須条件として、個々のネットワークプロバイダ間で国内外のローミングが可能でなければならないことは言うまでもない。
【００２５】
少なくとも２つの周波数チャネルにわたってそのようなデータ転送速度を可能にするため、移動局（ＭＳ）２０は、２つの異なる帯域にわたって同時にデータを受信できるようにソフトウェアおよびハードウェアに関して構成されている必要がある。また、受信モードにおけるシステムの無線周波数（ＲＦ）、ソフトウェア（ＳＦ）、ファームウェア（ＦＷ）は、データパケットの受信時に確実にかつリアルタイムにデータを組み合わせることができるように十分に速いアクセス速度および切換速度を有していなければならない。更に、移動局（ＭＳ）２０の場所とは無関係に移動局の場所を突き止めて特定の移動無線ユーザに対して移動局を割り当てるためには、移動局（ＭＳ）２０のＩＭＳＩ（国際移動受信契約者数）およびＴＭＳＩ（一時移動受信契約者数）の両方、また、本発明に係る組み合わせデータ送信が行なわれるネットワークプロバイダのＶＬＲ（ビジターロケーションレジスタ）およびＨＬＲ（ホームロケーションレジスタ）の対応するエントリが一致していなければならない。
【００２６】
また、同一のＫｉ値を有する２つのシステムの認証アルゴリズムＡ３を用いて移動局（ＭＳ）２０の認証を行なわなければならないと同時に、鍵生成アルゴリズムＡ８を用いて計算される両方のシステムのＫｃ値もスピーチエンコーディングにおいて同一でなければならない。しかしながら、周知のように、各移動局（ＭＳ）２０毎に世界的に固有のＫｉ値が存在し、したがって、Ｋｉ値から得ることができる世界的に固有のＫｃ値が存在するため、このシステム要件は常に満たされる。
【００２７】
図２は、一般に従来技術から知られるデュアルバンドまたはトリバンド携帯電話であるそのような移動局（ＭＳ）２０を示している。デュアルバンドまたはトリバンドであるにもかかわらず、２つの周波数チャネルにわたって送信されたデータを更に受信できるようにするため、移動局（ＭＳ）２０は、２つの周波数チャネルからデータを同時に受信できるように設けられた特定の受信ユニット２１を有している。しかしながら、移動局２０は、受信ユニットを有する携帯型のラップトップコンピュータであっても良く、あるいは、そのような受信ユニットを有する手持ちサイズのコンピュータであっても良い。
【００２８】
図３は、移動無線システムにおいて移動局（ＭＳ）２０と基地局（ＢＳ）１０との間のデータ転送速度を高めるためのフローチャートを示している。この方法は、少なくとも２つの周波数チャネルでのデータ送信を基地局（ＢＳ）１０と移動局（ＭＳ）２０との間で可能にするためにコンピュータプログラムが実行すべき個々のステップについて説明する。このコンピュータプログラムは、例えばＧＳＭネットワークインフラのユニットＢＳ，ＢＳＣ，ＭＳＣのうちの１つに記憶されてそこから実行される。しかしながら、（個々に適合された方法ステップを有する）コンピュータプログラムは、移動局の記憶ユニットに記憶されていても良い。
【００２９】
本発明に係る方法は、受信モードにおいて、以下のステップ、すなわち、
ａ）ＭＳが少なくとも２つのチャネルにわたるデータ送信に適しているかどうかをＭＳに関して調べるステップと、
ｂ）ＭＳが適している場合には、９００ＭＨｚ帯域および１８００ＭＨｚ帯域における空きチャネルをそれぞれ１つずつ識別するステップと、
ｃ）２つの識別されたチャネルを初期設定するステップと、
ｄ）どのチャネルにわたってデータ送信が行なわれるかをＭＳに知らせるステップと、
ｅ）チャネルを開くステップと、
ｆ）パケットによるデータパケットを２つのチャネルに割り当てるとともに、データパケットに対して対応するアドレスコーディング値を与えるステップと、
ｇ）データパケットを送信するステップと、
ｈ）チャネルを終了するステップと、
を含んでいる。
【００３０】
無論、送信モードにおいても、類似する若干修正された手法でこの方法を実施することができる。
【００３１】
方法ステップａ）において、移動局が２つのチャネルにわたるデータ送信に適していないことが分かると、方法がこの時点で終了し、１つのチャネルのみにわたってあるいは１つの周波数チャネルのみにわたって周知の方法によりデータ送信が行なわれる。
【００３２】
以下、個々のステップについて更に詳細に説明する。第１の方法ステップ１０１において、基地局コントローラ３０に格納されたコンピュータシステムは、いずれの移動局（ＭＳ）２０に対してデータ送信が行なわれるべきかどうか、移動ステーションが２つの周波数チャネルにわたってデータを受信する適正を有しているかどうか、したがって、図２に示されるような受信ユニット２１を有しているかどうかを確認する。ステップ１０１において移動局（ＭＳ）２０がこの適正を有していないことをプログラムが確認すると、ステップ１０２において方法が終了し、１つの周波数チャネルにわたって従来の形式でデータ送信が行なわれる。
【００３３】
しかしながら、ステップ１０１において、移動局（ＭＳ）２０が２つの周波数チャネルにわたって組み合わされたデータを受信できることをコンピュータプログラムが確認すると、次の方法ステップ１０３において、コンピュータプログラムは、第１の周波数チャネルおよび第２の周波数チャネルにおけるそれぞれの空きチャネルを識別するように基地局コントローラ１３０の識別ユニットに対して指示する。第１の周波数チャネルは９００ＭＨｚの近傍にあることが好ましく、第２の周波数チャネルは８００ＭＨｚの近傍にあることが好ましい。一方、北アメリカにおける第２の周波数チャネルは１９００ＭＨｚの近傍にあることが好ましい。
【００３４】
２つの空きチャネルが基地局コントローラ３０によって識別された後、コンピュータプログラムは、次の方法ステップ１０４においてこれらの２つのチャネルを初期設定するように基地局コントローラ３０に対して指示するとともに、更なる方法ステップ１０５においては、識別されて初期設定されたチャネルにわたってデータ送信が行なわれることを移動局２０に知らせるように基地局コントローラ３０に対して指示する。更なるステップ１０６においては、伝送されるデータ塊を送信するために、識別されて初期設定されたチャネルが開かれる。
【００３５】
チャネルが開かれると、ステップ１０７において、送信されるデータを２つのチャネルに対して割り当て始めることができる。この割り当ては、特定の割り当て命令にしたがってあるいは特定のデータ基準にしたがって行なわれても良い。他のタイプの割り当ては、その後直ちに塞がれないチャネルにわたって各データブロックが送信されるシリアルデータ送信によって伝送することを含んでいる。
【００３６】
しかしながら、基本的には、送信されるデータは、その間に開かれていた少なくとも２つのチャネルに対してパケット状態で割り当てられる。データパケットが２つのチャネルにわたって送信されるため、送信前にアドレスコーディング値をデータパケットに与える必要がある。このアドレスコーディング値により、その後の段階で、例えば受信時に、データパケットをその最初のフォーマットに戻すことができる。
【００３７】
このようにしてデータ塊がデータパケットにまとめられると、アドレスコーディング値が与えられ、ステップ１０８において最終的に送信されるとともに、ステップ１０９において２つのチャネルが再び閉じられ、送信が終了する。
【００３８】
図４は、送信されるデータに対してアドレスコーディング値を例えばインターリービング中に与える方法を示している。図４の上側のレベルには、３つのデータブロック１５０，１６０，１７０が示されている。これらのデータブロックは、公知のチャネルコーディング方法を実施する先の方法ステップにおいて既にコード化されていても良い。このようにしてコード化されたデータブロックは、更なる方法ステップにおいて、ここでは第２のレベルに示される複数のバースト１８０〜１８７に変換される。各バーストにはアドレスコーディング値が与えられる。各バーストデータパケットは２つのデータシーケンスによって形成されているが、これらのデータシーケンスは、インターリービングによってコード化された異なるデータブロック１５０，１６０，１７０から発生している。この場合、各バーストは１１４ビットの使用可能なデータ塊を有しており、これはまさしくタイムスロットの有用なデータ長である。そのため、１つの送信タイムスロットを各バーストに対して割り当てることができる。アドレスコーディング値の割り当てを伴う図４に示されるバーストフォーマッティングは、基本的に、データが送信されるべき各周波数チャネルに対してデータを割り当てる前に実行されなければならない。
【００３９】
図５は、図４のバースト１８４から始まるフレーム構造を示している。このフレーム構造は、２つの周波数チャネルで組み合わされたデータを送信するために使用される。図４を参照して既に説明したように、ここでの最小単位は、１１４ビットのデータ長を有するタイムスロットまたはバースト１８４である。この送信のために５７７μｓを利用できる。ここでのバースト１８４は、時間および強度にしたがって拡大された形式のＴＤＭＡフレーム２００の４番目のタイムスロットを示している。ここに示されている階層的なフレーム構造においては、８個のタイムスロット（したがって、図４のバースト１８０〜１８７）が組み合わされてＴＤＭＡフレーム２００を形成しているが、各ＴＤＭＡフレーム２００は４．６１５ｍｓの持続時間を有している。ＴＤＭＡフレーム２００の８個のタイムスロットの全てがユーザデータの送信のために使用されるのではなく、タイムスロット２〜７だけが実際のデータ伝送のためのトラフィックチャネル（ＴＣＨ）として使用される。一方、タイムスロット０，１は、例えば接続設定および切断、ハンドオーバー等の内部システム制御のための制御チャネル（ＣＣＨ）として使用される。例示的なダウンリンクまたはアップリンクチャネル構造としては、図６および図７を参考にすることができる。
【００４０】
図５において、階層的なフレーム構造が図５の上側に向かって続く場合には、同様に、２６個のＴＤＭＡフレームが組み合わされて、いわゆる２６マルチフレーム２１０が形成され、あるいは、５１個のＴＤＭＡフレームが組み合わされて、いわゆる５１マルチフレーム２１５が形成される。フレーム構造２１０とマルチフレーム構造２１５との違いは、マルチフレーム２１０がユーザデータの送信のために使用されるのが好ましいのに対して、マルチフレーム構造２１５が信号データの送信のために使用されるのが好ましいという点である。
【００４１】
階層構造が更にもう１つ上側のレベルへと続く場合には、５１個の２６マルチフレーム２１０および２６個の５１マルチフレーム２１５を組み合わせてそれぞれ６．１２秒の長さのスーパーフレームを形成することができる。この階層構造の上位は、２０４８（２”）個のスーパーフレームが１つの単位に組み合わされて成るいわゆるハイパーフレーム２５０を形成している。
【００４２】
図５に示される階層フレーム構造は、２つの周波数チャネルまたは２つのチャネルでそれぞれデータを送信するための本発明に係る方法と共に使用される。無論、他の構造化された方法でデータを配置することもできる。
【００４３】
前述したように、図６および図７は、ダウンリンクまたはアップリンク送信動作のための例示的なチャネル構造を示している。図６および図７のいずれにおいても、タイムスロット２〜７だけがトラフィックチャネル（ＴＣＨ）として使用されているのが分かる。一方、タイムスロット０，１は制御チャネル（ＣＣＨ）としてのみ使用される。ここでも、制御チャネル（ＴＳ０およびＴＳ１）が５１個の各ＴＤＭＡフレームによって形成されているのが分かる。これに対し、トラフィックチャネルは（２×２６）個のＴＤＭＡフレームによって形成されている。
【００４４】
図８は本発明の用途の一例を示している。この例において、データ送信は、第１の移動無線システムの第１の周波数チャネルおよび第２の移動無線システムの第２の周波数チャネルにわたって行なわれて組み合わされる。ステップ２００において初期設定された後、ステップ２０１において、２つの周波数チャネルにわたって送信する必要があるかどうかが判断される。この目的のために、送信されるデータ塊が調べられ、送信されるデータ塊が調整可能な閾値を越えている場合には、２つの異なる周波数チャネルにわたって組み合わされたデータを送信するための要求が成される。その後、処理は、データの送信対象となる移動局が２つの周波数チャネルにわたって組み合わされたデータを受信するのに適しているかどうかの問い合わせが成されるステップ２０２に移行する。移動局が２つの異なる周波数チャネルにわたってデータを受信するのに適している場合には、処理がステップ２０３に移行する。このステップ２０３では、２つの周波数チャネル、例えば９００ＭＨｚ帯域および１８００ＭＨｚ帯域においてそれぞれ１つの空きチャネルが特定される。
【００４５】
これに続くステップ２０４では、２つの異なる周波数チャネルで見出された２つの空きチャネルが移動無線システムに属しているか否かの問い合わせが成される。移動無線システムにおいて２つの異なる周波数チャネルにおける各空きチャネルを特定することができた場合には、処理がステップ２０５へと続き、このステップから、図３のステップ１０６およびステップ１０９にしたがって処理が進められる。
【００４６】
ステップ２０４での問い合わせが否定的なものである場合、すなわち、移動局が割り当てられる１つの移動無線システムにおいて２つの異なる周波数チャネルにおける２つの空きチャネルが存在しない場合には、処理がステップ２０６に移行する。
【００４７】
ステップ２０６では、移動局が割り当てられる移動無線システムにおける第１の周波数チャネルにおいて、第１の空きチャネルが識別される。以下、この移動無線システムを第１の移動無線システムと称する。その後、処理はステップ２０７へと移行する。ステップ２０７においては、第２の移動無線システムに連絡が取られ、この第２の移動無線システムにおける第２の周波数チャネルにおいて第２の空きチャネルが識別される。その後、処理はステップ２０８へと続く。ステップ２０８においては、第２の移動無線システムの一時的なホームロケーションレジスタ（ＨＬＲ）が移動局に対して割り当てられ、それにより、第２の移動無線システムにおいて周知の方法で第２の周波数チャネルの第２の空きチャネルにわたってデータ送信を実行することができる。その後、処理はステップ２０９へと移行する。このステップ２０９において、移動局に対して送信されるデータストリームは、第１の移動無線システムにおける第１の周波数チャネルの第１のチャネルにわたって送信される第１のデータストリームと、第２の移動無線システムにおける第２の周波数チャネルの第２のチャネルにわたって送信される第２のデータストリームとに分割される。この分割は、図３のステップ１０７を参照して説明した分割と同様に行なわれる。すなわち、データパケットのリソートが行なわれるとともに、データパケットに対するアドレスコーディング値の付加が行なわれる。これは、例えば第１の移動無線システムにおいて行なわれる。この目的のため、第１の移動無線システムの適当な場所にデータスプリッタを設けることができる。その後、処理はステップ２１０に移行する。このステップ２１０において、第１のデータストリームは、第１の移動無線システムにおける第１の周波数チャネルの第１の空きチャネルにわたって移動局へと送信される。また、ステップ２１０において、第２のデータストリームは、第２の移動無線システムにおける第２の周波数チャネルの第２の空きチャネルにわたって送信される。第１の移動無線システムにおける第１のデータストリームの移動局に対する送信は、周知の方法で行なわれる。同様に、第２の移動無線システムにおける第２のデータストリームの移動局に対する送信も、公知の方法で行なわれる。その後、処理はステップ２１１へと続く。このステップ２１１において、移動局で受信された第１および第２のデータストリームは、アドレスコーディング値により適切な方法で組み合わされる。その後、処理がステップ２１２へと移行し、このステップで処理が終了する。
【００４８】
第２の移動無線システムの移動局において、第２のデータストリームの送信は、多かれ少なかれ、第２の移動無線システムに対する定期的な受信契約者として実施されるため、チャネルコーディングおよびインターリービング並びに第２の移動無線システムの送信全体は、公知の方法で行なうことができる。また、ハンドオーバーも公知の方法で行なうことができる。また、これは、第１の移動無線システムにも適用される。
【００４９】
したがって、要するに、本発明によれば、少なくとも２つの周波数チャネルにわたる組み合わせ伝送を介した送信により、移動無線システムにおける移動局へのデータ転送速度をかなり高めることができると言える。２つの異なる移動無線システムにわたって各移動無線システムの移動局に対してデータを送信することにより、データ送信がそれ自体知られた手法で行なわれるため、現在では例えばＧＳＭシステムにおいて一般的である全データ送信・信号送信をこれらのシステムで維持することができ、それにより、インフラの信号送信プロトコルにおける実質的な変更が不要になる。
【図面の簡単な説明】
【００５０】
【図１】ＧＳＭネットワークインフラを示す図。
【図２】本発明に係る方法によって送信されるデータを受信するための移動局を概略的に示す図。
【図３】本発明に係る方法のフローチャートを示す図。
【図４】アドレスコーディング値が使用されている最中のスピーチデータのためのインターリービングの原理を概略的に示す図。
【図５】複数のＴＤＭＡフレームから成るハイパーフレームの成分および階層構造を示す図。
【図６】対応するフルレートダウンリンクチャネル構成の一例を示す図。
【図７】図６に対応するアップリンク構成を示す図。
【図８】２つの移動無線システムにわたるデータ送信の一例を示す図。
【図１】
2005536100.tif 000003
【図２】
2005536100.tif 000004
【図３】
2005536100.tif 000005
【図４】
2005536100.tif 000006
【図５】
2005536100.tif 000007
【図６】
2005536100.tif 000008
【図７】
2005536100.tif 000009
【図８】
2005536100.tif 000010
【国際調査報告】
2005536100.tif 000011
2005536100.tif 000012
2005536100.tif 000013